(57)【要約】  表示画面を有する画像表示手段と、上記表示画面の周囲を囲んでいる導電性周囲枠部を有しかつ上記画像表示手段を収容している枠体と、上記表示画面またはその透光性で絶縁性のカバー部材に設けられている通信用アンテナとを備えている。上記通信用アンテナが、上記導電性周囲枠部から１ｍｍ以上（好ましくは、２ｍｍ以上）の間隔をあけて、上記表示画面または上記透光性カバー部材に設けられている。  このために、表示画面を有する画像表示手段の枠体の導電性周囲枠部が導電性であっても、好ましい通信性能を保持することができる通信用アンテナを備えているアンテナ付き画像表示装置を提供することができる。
2007083500.tif 000002
【特許請求の範囲】
【請求項１】
表示画面を有する画像表示手段と、上記表示画面の周囲を囲んでいる導電性周囲枠部を有しかつ上記画像表示手段を収容している枠体と、上記表示画面、または、この表示画面の前面をカバーする透光性で絶縁性のカバー部材に設けられている通信用アンテナとを備えているアンテナ付き画像表示装置において、
上記通信用アンテナが、上記導電性周囲枠部から１ｍｍ以上、好ましくは、２ｍｍ以上の間隔をあけて上記表示画面または上記透光性カバー部材に設けられることを特徴とするアンテナ付き画像表示装置。
【請求項２】
上記通信用アンテナが上記表示画面に設けられていることを特徴とする請求の範囲第１項に記載のアンテナ付き画像表示装置。
【請求項３】
上記通信用アンテナが、上記導電性周囲枠部によってその周囲を囲まれている上記カバー部材に設けられていることを特徴とする請求の範囲第１項に記載のアンテナ付き画像表示装置。
【請求項４】
上記カバー部材が、第１の透光性板と第２の透光性板とを重ね合せた構造を有し、
上記通信用アンテナが、上記第１の透光性板と上記第２の透光性板との間に配されていることを特徴とする請求の範囲第３項に記載のアンテナ付き画像表示装置。
【請求項５】
上記通信用アンテナの少なくとも１つの給電部が、第１の導電性板状体によって構成され、
上記第１の導電性板状体に上記第１または第２の透光性板を介してほぼ対向することによって、上記第１の導電性板状体と容量結合している第２の導電性板状体を備え、
給電用のリード線が上記第２の導電性板状体に接続されることを特徴とする請求の範囲第４項に記載のアンテナ付き画像表示装置。
【請求項６】
上記通信用アンテナが、上記第１の導電性板状体からそれぞれ構成された２つの給電部と、２つの上記第２の導電性板状体とを備え、
上記２つの第１の導電性板状体が、上記第１または第２の透光性板を介して上記２つの第２の導電性板状体にそれぞれほぼ対向していることを特徴とする請求の範囲第５項に記載のアンテナ付き画像表示装置。
【請求項７】
上記第２の導電性板状体が取付けられているコネクタを備え、
上記給電用リード線が上記コネクタに取付けられ、
上記給電用リード線が上記第２の導電性板状体に接続されることを特徴とする請求の範囲第５項または第６項に記載のアンテナ付き画像表示装置。
【請求項８】
上記第２の導電性板状体が、上記第１および第２の透光性板のうちの内側の透光性板を介して上記第１の導電性板状体にほぼ対向していることを特徴とする請求の範囲第５項、第６項または第７項に記載のアンテナ付き画像表示装置。
【請求項９】
上記内側透光性板の厚みが、２．２ｍｍ以下、好ましくは、１．５ｍｍ以下であることを特徴とする請求の範囲第８項に記載のアンテナ付き画像表示装置。
【請求項１０】
上記外側透光性板の厚みが、上記内側透光性板の厚みの２〜６倍の範囲、好ましくは、２．５〜４倍の範囲であることを特徴とする請求の範囲第８項または第９項に記載のアンテナ付き画像表示装置。
【請求項１１】
上記コネクタの絶縁性ケースが、上記内側の透光性板の後面側にほぼ配される厚みの小さい第１のケース部分と、この第１のケース部分から上記内側の透光性板の上記後面よりも側方に突出している厚みの大きい第２のケース部分とから成り、
段差部が上記第１のケース部分と第２のケース部分との間に設けられ、
上記第２の導電性板状体が上記第１のケース部分に取付けられ、
上記給電用リード線としての同軸ケーブルが上記第２のケース部分に取付けられることを特徴とする請求の範囲第７項に記載のアンテナ付き画像表示装置。
【請求項１２】
上記第１のケース部分の厚みが、０．５〜３ｍｍの範囲、好ましくは、１〜２ｍｍの範囲であることを特徴とする請求の範囲第１１項に記載のアンテナ付き画像表示装置。
【請求項１３】
上記第１および第２の透光性板がそれぞれガラス板であることを特徴とする請求の範囲第４項〜第１２項のうちのいずれか１つに記載のアンテナ付き画像表示装置。
【請求項１４】
上記画像表示手段が液晶表示パネル本体であることを特徴とする請求の範囲第１項〜第１３項のうちのいずれか１つに記載のアンテナ付き画像表示装置。
【請求項１５】
上記通信用アンテナが導電性細線から構成されていることを特徴とする請求の範囲第１項〜第１４項のうちのいずれか１つに記載のアンテナ付き画像表示装置。
【請求項１６】
上記導電性細線の線径が、０．０１〜０．３ｍｍの範囲であることを特徴とする請求の範囲第１５項に記載のアンテナ付き画像表示装置。
【請求項１７】
上記通信用アンテナが、樹脂フィルムに形成された導電パターンから構成され、
上記樹脂フィルムを上記表示画面または上記透光性カバー部材に貼り付けることによって、上記アンテナが上記表示画面または上記透光性カバー部材に設けられていることを特徴とする請求の範囲第１項〜第１４項のうちのいずれか１つに記載のアンテナ付き画像表示装置。
【請求項１８】
上記導電性パターンが０．３〜１０ｍｍの範囲の幅で０．００１〜０．２ｍｍの範囲の厚みであることを特徴とする請求の範囲第１７項に記載のアンテナ付き画像表示装置。
【請求項１９】
上記枠体の上記導電性周囲枠部が、少なくとも一ヶ所で分断されて、この分断箇所で電気的に絶縁されていることを特徴とする請求の範囲第１項〜第１８項のうちのいずれか１つに記載のアンテナ付き画像表示装置。
【請求項２０】
上記分断箇所の分断間隔が、０．２〜５ｍｍの範囲、好ましくは、０．５〜２ｍｍの範囲であることを特徴とする請求の範囲第１９項に記載のアンテナ付き画像表示装置。
【請求項２１】
上記分断箇所の両側端の間にスペーサを介在させることによって、上記両側端が結合されていることを特徴とする請求項第１９項または第２０項に記載のアンテナ付き画像表示装置。
【請求項２２】
ほぼＵ字状に構成されている保持具が、上記分断箇所のほぼ両側端附近に接着され、
少なくとも２つのスリットが上記保持具に設けられ、
少くとも２つの舌片部が上記導電性周囲枠部の上記両側端附近に設けられ、
上記少くとも２つの舌片部が、上記少くとも２つのスリットにそれぞれ挿入されたから折り曲げられていることを特徴とする請求の範囲第１９たは第２０項に記載のアンテナ付き画像表示装置。
【請求項２３】
上記画像表示手段を構成している画像表示パネル本体と、この画像表示パネル本体が収容されている上記枠体とから画像表示パネルが構成され、
上記画像表示パネルを含む画像表示装置本体が、第２の枠体に収容されていることを特徴とする請求の範囲第１項〜第２２項のうちのいずれか１つに記載のアンテナ付き画像表示装置。
【請求項２４】
上記通信用アンテナがループアンテナであり、
上記ループアンテナのそれぞれの一辺の長さが１００〜１４０ｍｍの範囲であることを特徴とする請求の範囲第１項〜第２３項のうちのいずれか１つに記載のアンテナ付き画像表示装置。
【請求項２５】
上記ループアンテナを構成する４つのアンテナエレメントのうちの第１のアンテナエレメントが、上記表示画面または上記透光性カバーを、上記導電性周囲枠部の第１の側端にほぼ沿って、この第１の側端から１ｍｍ以上、好ましくは、２ｍｍ以上離れて延在し、
上記４つのアンテナエレメントのうちの第２のアンテナエレメントが、上記表示画面または上記透光性カバーを、上記導電性周囲枠部の上記第１の側端に隣接する第２の側端にほぼ沿って、この第２の側端から１ｍｍ以上、好ましくは、２ｍｍ以上離れて延在していることを特徴とする請求の範囲第２４項に記載のアンテナ付き画像表示装置。
【請求項２６】
上記通信用アンテナがモノポールアンテナまたはダイポールアンテナであることを特徴とする請求の範囲第１項〜第２３項のうちのいずれか１つに記載のアンテナ付き画像表示装置。
【請求項２７】
上記通信用アンテナが、第１および第２のアンテナエレメントを有するほぼ逆Ｌ形またはほぼＬ形のアンテナであり、
上記第１のアンテナエレメントが、上記表示画面または上記透光性カバーを、上記導電性周囲枠部の第１の側端にほぼ沿って、この第１の側端から１ｍｍ以上、好ましくは、２ｍｍ以上離れて延在し、
上記第２のアンテナエレメントが、上記表示画面または上記透光性カバー部材を、上記導電性周囲枠部の上記第１の側端に隣接する第２の側端にほぼ沿って、この第２の側端から１ｍｍ以上、好ましく、２ｍｍ以上離れて延在していることを特徴とする請求の範囲第１項〜第２３および第２６項のうちのいずれか１つに記載のアンテナ付き画像表示装置。
【請求項２８】
上記第１および第２のアンテナエレメントが上記第１および第２の側端からそれぞれ離れている距離が、１０ｍｍ以内であることを特徴とする請求の範囲第１９項または第２７項に記載のアンテナ付き画像表示装置。
【請求項２９】
上記通信用アンテナが、第１および第２のアンテナエレメントをそれぞれ有するダイポールアンテナであり、
上記第１のアンテナエレメントおよび上記第２のアンテナエレメントが、全体としてほぼ一直線になるように、上記表示画面または上記透光性カバーを、上記導電性周囲枠部の所定の側端にほぼ沿って、この所定の側端から１ｍｍ以上、好ましくは、２ｍｍ以上それぞれ離れて延在していることを特徴とする請求の範囲第１項〜第２３項のうちのいずれか１つに記載のアンテナ付き画像表示装置。
【請求項３０】
上記第１および第２のアンテナエレメントが上記所定の側端からそれぞれ離れている距離が、１０ｍｍ以内であることを特徴とする請求の範囲第２９項に記載のアンテナ付き画像表示装置。
【発明の詳細な説明】
【技術分野】
【０００１】
本発明は、表示画面を有する液晶画像表示パネル本体、プラズマ画像表示パネル本体などの画像表示手段と、上記表示画面の周囲を囲んでいる導電性周囲枠部を有しかつ上記画像表示手段を収容している枠体と、上記表示画面、または、この表示画面の前面をカバーする透光性で絶縁性のカバー部材に設けられている通信用アンテナとを備えているアンテナ付き画像表示装置に関するものである。
【背景技術】
【０００２】
液晶画像表示装置などの画像表示装置に通信用アンテナを組み込んで、この通信用アンテナを電子タグと交信させる技術が、従来から注目されている。この技術によれば、電子タグに記録されている情報によって画像表示装置における画像表示の内容を変えることができるので、各人ごとに異なる情報を伝達することができることなどの特徴がある。上記電子タグは、無線タグまたはＩＣタグとも呼ばれていて、情報が記録されるメモリが組み込まれているＩＣチップと、小型アンテナとをそれぞれ含む通信回路から成っている。上述のようなアンテナ付き画像表示装置として、例えば日本国特開２０００−２１５２７８号公報には、表示画面にループアンテナを組み込んだものが開示されている。
【特許文献１】特開２０００−２１５２７８号公報
【０００３】
しかし、日本国特開２０００−２１５２７８号公報のアンテナ付き画像表示装置には、つぎの（Ａ）項に記載のような問題点がある。この問題点が生じる理由は、この（Ａ）項の記載のつぎに記載する（ａ）項に記載のとおりである。
（Ａ）アンテナを画像表示装置に組み込む際の通信用アンテナの取り付け箇所には制約が多くて、限られた位置以外に通信用アンテナを取り付けると、通信用アンテナの通信性能が劣化する。
（ａ）通信用アンテナは、通常、電気的に絶縁された空間に配置されることによって、通信性能を確保することができる。しかし、例えば液晶表示パネルを用いた表示画面では、強度の保持と、液晶表示画面付近からのノイズ輻射に対する遮蔽とのために、液晶表示パネルの側枠部と必要に応じて裏板部とは、導電性を有する金属製枠体（換言すれば、金属製筐体）によって構成されている。また、液晶表示パネルの液晶自体も、導電性である。したがって、日本国特開２０００−２１５２７８号公報のアンテナ付き画像表示装置における通信用アンテナの場合には、これらの金属製枠体および液晶の影響を受けて、通信性能が劣化し易い。
【特許文献１】特開２０００−２１５２７８号公報
【０００４】
本発明は、上述のような問題点に着目することによって発明されたものであって、表示画面を有する画像表示手段の枠体（特に、上記表示画面の周囲を囲んでいる周囲枠部）が導電性であっても、好ましい通信性能を保持することができるループアンテナ、モノポールアンテナ、ダイポールアンテナなどの通信用アンテナを備えている画像表示装置を提供することを目的としている。
【発明の開示】
【０００５】
本発明は、表示画面を有する液晶画像表示パネル本体、プラズマ画像表示パネル本体などの画像表示手段と、上記表示画面の周囲を囲んでいる導電性周囲枠部を有しかつ上記画像表示手段を収容している枠体と、上記表示画面、または、この表示画面の前面をカバーする透光性で絶縁性のカバー部材に設けられている通信用アンテナとを備えているアンテナ付き画像表示装置において、上記通信用アンテナが、上記導電性周囲枠部から１ｍｍ以上（好ましくは、２ｍｍ以上）の間隔をあけて上記表示画面または上記透光性カバー部材に設けられているものである。そして、本発明によれば、画像表示手段の表示画面またはそのカバー部材に設けられる通信用アンテナが枠体の導電性周囲枠部から受ける影響を低減することができるから、通信用アンテナの通信性能を良好に維持することができる。
【０００６】
本発明は、その第１の観点によれば、上記通信用アンテナが上記表示画面に設けられることができる。また、本発明は、その第２の観点によれば、上記通信用アンテナが、上記導電性周囲枠部によってその周囲を囲まれている上記カバー部材に設けられることができる。そして、この透光性で絶縁性のカバー部材は、画像表示パネル本体の前面を保護することなどにも役立つ。
【０００７】
また、本発明の上記第２の観点の第１の態様によれば、上記カバー部材が、第１の透光性板と第２の透光性板とを重ね合せた構造を有し、上記通信用アンテナが、上記第１の透光性板と上記第２の透光性板との間に配されることができる。また、この第１の態様においては、上記通信用アンテナの少なくとも１つの給電部が、第１の導電性板状体によって構成され、上記第１の導電性板状体に上記第１または第２の透光性板を介してほぼ対向することによって、上記第１の導電性板状体と容量結合している第２の導電性板状体を備え、給電用のリード線が上記第２の導電性板状体に接続されることができる。そして、上記第１の態様においては、上記通信用アンテナが、上記第１の導電性板状体からそれぞれ構成された２つの給電部と、２つの上記第２の導電性板状体とを備え、上記２つの第１の導電性板状体が、上記第１または第２の透光性板を介して上記２つの第２の導電性板状体にそれぞれほぼ対向していることができる。
【０００８】
また、上記第２の観点の第３の態様においては、上記第２の導電性板状体が取付けられているコネクタを備え、上記給電用リード線が上記コネクタに取付けられ、上記給電用リード線が上記第２の導電性板状体に接続されることができる。そして、上記第３の態様においては、上記第２の導電性板状体が、上記第１および第２の透光性板のうちの内側の透光性板を介して上記第１の導電性板状体にほぼ対向していることができる。また、上記第３の態様においては、上記内側透光性板の厚みが、実用性の観点から見て一般的に、２．２ｍｍ以下（好ましくは、１．５ｍｍ以下）であることができる。この場合、上記内側透光性板が誘電体として機能する給電用コンデンサの単位面積当りの静電容量が大きくなるから、このコンデンサを介しての給電の効率を良好にすることができる。さらに、上記第３の態様においては、上記外側透光性板の厚みが、実用性の観点から見て一般的に、上記内側透光性板の厚みの２〜６倍の範囲（好ましくは、２．５〜４倍の範囲）であることができる。
【０００９】
また、本発明の上記第２の観点の第４の態様によれば、上記コネクタの絶縁性ケースが、上記内側の透光性板の後面側にほぼ配される厚みの小さい第１のケース部分と、この第１のケース部分から上記内側の透光性板の上記後面よりも側方に突出している厚みの大きい第２のケース部分とから成り、段差部が上記第１のケース部分と第２のケース部分との間に設けられ、上記第２の導電性板状体が上記第１のケース部分に取付けられ、上記給電用リード線としての同軸ケーブルが上記第２のケース部分に取付けられることができる。そして、この第４の態様によれば、上記第１のケース部分の厚みが、実用性の観点から見て一般的に、０．５〜３ｍｍの範囲（好ましくは、１〜２ｍｍの範囲）であることができる。また、上記第２の観点の第５の態様によれば、上記第１および第２の透光性板がそれぞれガラス板であることができる。
【００１０】
また、本発明は、その第３の観点によれば、上記画像表示手段が液晶表示パネル本体であることができる。また、本発明は、その第４の観点によれば、上記通信用アンテナが導電性細線から構成されることができる。そして、この第４の観点によれば、導電性細線はその幅を小さくすることができるから、画像表示手段の表示画面またはそのカバー部材に設けられる通信用アンテナのために、この表示画面における画面表示の視認性が実質的に阻害されないようにすることができる。また、この第４の観点においては、上記導電性細線の線径が、実用性の観点から見て一般的に、０．０１〜０．３ｍｍの範囲であることができる。さらに、本発明は、その第５の観点によれば、上記通信用アンテナが、透明な樹脂フィルムなどの樹脂フィルムに形成された透明導電性塗料などから成る導電パターンから構成され、上記樹脂フィルムを上記表示画面または上記カバー部材に貼り付けることによって、上記アンテナが上記表示画面または上記透光性カバー部材に設けられることができる。そして、上記第５の観点によれば、樹脂フィルムおよび導電パターンをほぼ透明にすることができるから、画像表示装置の表示画面またはそのカバー部材に設けられる通信用アンテナのために、この表示画面おける画面表示の視認性が実質的に阻害されないようにすることができる。また、この第５の観点においては、上記導電性パターンが、実用性の観点から見て一般的に、０．３〜１０ｍｍの範囲の幅で０．００１〜０．２ｍｍの範囲の厚みであることができる。
【００１１】
さらに、本発明は、その第６の観点によれば、上記枠体の上記導電性周囲枠部が、少なくとも一ヶ所で分断されて、この分断箇所で電気的に絶縁されていることができる。そして、この第６の観点によれば、導電性周囲枠部がループコイルとして機能するから、画像表示手段の表示画面またはそのカバー部材に設けられる通信用アンテナが導電性周囲枠部によって干渉されるのをさらに確実に防止することができる。また、上記第６の観点においては、この分断箇所の分断間隔が、実用性の観点から見て一般的に、０．２〜５ｍｍの範囲（好ましくは、０．５〜２ｍｍの範囲）であることができる。なお、上記分断間隔が上記範囲の下限よりも小さくなると、上記分断箇所の両側端が互いに接触する可能性などが生じて上記分断箇所による絶縁性に問題が生じ易く、また、上記分断間隔が上記範囲の上限よりも大きくなると、上記導電性周囲枠部の強度が上記分断箇所で低下しすぎる問題が生じ易い。そして、第６の観点の第１の態様によれば、上記分断箇所の両側端の間にスペーサを介在させることによって、上記両側端が結合されていることができる。また、上記第６の観点の第２の態様によれば、ほぼＵ字状に構成されている保持具が、上記分断箇所のほぼ両側端附近に接着され、少なくとも２つのスリットが上記保持具に設けられ、少なくとも２つの舌片部が上記導電性周囲枠部の上記両側端附近に設けられ、上記少なくとも２つの舌片部が、上記少なくとも２つのスリットにそれぞれ挿入されてから折り曲げられていることができる。さらに、本発明は、その第７の観点によれば、上記画像表示手段を構成している画像表示パネル本体と、この画像表示パネル本体が収容されている上記枠体とから画像表示パネルが構成され、上記画像表示パネルを含む画像表示装置本体が、第２の枠体に収容されることができる。
【００１２】
また、本発明は、その第８の観点によれば、上記通信用アンテナがループアンテナであり、上記ループアンテナのそれぞれの一辺の長さが１００〜１４０ｍｍの範囲であることができる。そして、この第８の観点においては、上記ループアンテナを構成する４つのアンテナエレメントのうちの第１のアンテナエレメントが、上記表示画面または上記透光性カバー部材を、上記導電性周囲枠部の第１の側端（例えば、左側端）にほぼ沿って、この第１の側端から１ｍｍ以上（より好ましくは、２ｍｍ以上）離れて延在し、上記４つのアンテナエレメントのうちの第２のアンテナエレメントが、上記表示画面または上記透光性カバー部材を、上記導電性周囲枠部の上記第１の側端に隣接する第２の側端（例えば、上側端）にほぼ沿って、この第２の側端から１ｍｍ以上（好ましくは、２ｍｍ以上）離れて延在していることができる。この第８の観点によれば、画像表示手段の表示画面またはそのカバー部材に設けられる通信用アンテナが電子タグと効率良く交信することができる。
【００１３】
また、本発明は、その第９の観点によれば、上記通信用アンテナがモノポールアンテナまたはダイポールアンテナであることができる。そして、本発明は、上記第９の観点の第１の態様によれば、上記通信用アンテナが、第１および第２のアンテナエレメントを有するほぼ逆Ｌ形またはほぼＬ形のアンテナであり、上記第１のアンテナエレメントが、上記表示画面または上記透光性カバーを、上記導電性周囲枠部の第１の側端にほぼ沿って、この第１の側端から１ｍｍ以上（好ましくは、２ｍｍ以上）離れて延在し、上記第２のアンテナエレメントが、上記表示画面または上記透光性カバー部材を、上記導電性周囲枠部の上記第１の側端に隣接する第２の側端にほぼ沿って、この第２の側端から１ｍｍ以上（好ましくは、２ｍｍ以上）離れて延在していることができる。そして、この第１の態様によれば、画像表示手段の表示画面またはそのカバー部材に設けられる通信用アンテナのために、この表示画面における画面表示の視認性が阻害されるのを効果的に防止することができる。また、上記第１の態様においては、上記第１および第２のアンテナエレメントが上記第１および第２の側端からそれぞれ離れている距離が、実用性の観点から見て一般的に、１０ｍｍ以内であることができる。
【００１４】
さらに、本発明は、その第９の観点の第２の態様によれば、上記通信用アンテナが、第１および第２のアンテナエレメントをそれぞれ有するダイポールアンテナであり、上記第１のアンテナエレメントおよび上記第２のアンテナエレメントが、全体としてほぼ一直線になるように、上記表示画面または上記透光性カバー部材を、上記導電性周囲枠部の所定の側端に沿って、この所定の側端から１ｍｍ以上（好ましくは、２ｍｍ以上）離れてそれぞれ延在していることができる。そして、この第２の態様によっても、画像表示手段の表示画面またはそのカバー部材に設けられる通信用アンテナのために、この表示画面における画面表示の視認性が阻害されるのを効果的に防止することができる。また、この第２の態様においては、上記第１および第２のアンテナエレメントが上記所定の側端からそれぞれ離れている距離が、実用性の観点から見て一般的に、１０ｍｍ以内であることができる。
【図面の簡単な説明】
【００１５】
【図１】図１は、本発明の第１の実施例におけるアンテナ付き画像表示装置の斜視図である。
【図２】図２は、図１の画像表示装置と交信することができる電子タグの平面図である。
【図３】図３は、図１の画像表示装置のループアンテナの一辺の長さを変化させたときの図２の電子タグの最大応答可能距離を示すグラフである。
【図４】図４は、本発明の第２の実施例におけるアンテナ付き画像表示装置の斜視図である。
【図５】図５は、図４の画像表示装置のアンテナの感度をダイポール比／水平偏波で示す指向性グラフである。
【図６】図６は、本発明の第３の実施例におけるアンテナ付き画像表示装置のパネル枠体の一部分の斜視図である。
【図７】図７は、図６に示すパネル筐体の分解斜視図である。
【図８】図８は、本発明の第４の実施例におけるアンテナ付き画像表示装置の斜視図である。
【図９】図９は、本発明の第５の実施例におけるアンテナ付き画像表示装置の、カバーガラスを前方に取り出した状態での斜視図である。
【図１０】図１０は、図９に示すカバーガラスの正面図である。
【図１１】図１１は、図１０のＡ−Ａ線に沿った断面図である。
【図１２】図１２は、図１１に示すコネクタの拡大背面図である。
【図１３】図１３は、図１２に示すコネクタの左側面図である。
【図１４】図１４は、本発明の第６の実施例におけるカバーガラスの正面図である。
【図１５】図１５は、図１４のＢ−Ｂ線に沿った断面図である。
【図１６】図１６は、図１５に示すコネクタの拡大背面図である。
【発明を実施するための最良の形態】
【００１６】
つぎに、本発明の第１〜第６の実施例を、「１、第１の実施例」、「２、第２の実施例」、「３、第３の実施例」、「４、第４の実施例」「５、第５の実施例」および「６、第６の実施例」に項分けして、図面を参照しつつ説明する。【００１７】
１、第１の実施例
まず、本発明の第１の実施例を、「（１）アンテナ付き画像表示装置の構成」、「（２）電子タグの構成」および「（３）電子タグの最大応答可能距離の測定実験」に項分けして、図１〜図３を参照しつつ説明する。【００１８】
（１）アンテナ付き画像表示装置の構成
本発明の第１の実施例におけるアンテナ付き画像表示装置１は、図１に示すように、液晶画像表示パネル本体２を有する液晶画像表示装置３を備えている。そして、この液晶画像表示パネル本体２のほぼ長方形状などの液晶表示画面４（換言すれば、液晶画像表示パネル本体２の前側の表面板）上には、例えば１回巻きのループアンテナ５が設けられている。なお、この前側の表面板は、液晶表示画面４として実質的に機能するものであってよいから、ガラス、合成樹脂などの透明などの透光性絶縁材料から構成されることができ、また、前側の偏光フィルタとして機能するものであってもよい。【００１９】
液晶画像表示装置３は、公知の構造を有するものであってよく、図１に示すように、ステンレススチール製などの金属製などの導電性の枠体（換言すれば、液晶画像表示装置本体９を収容する導電性筐体）６を有している。この導電性枠体６は、箱蓋形状であってよく、前後両端がそれぞれ開放されているほぼ直方体形状の中空の枠部材から成る側枠部６ａと、この側枠部６ａの後面側の開口を閉塞している裏板部（図示せず）とから成っている。そして、金属製などの導電性の側枠部６ａは、液晶画像表示パネル本体２の液晶表示画面４の周囲を囲んでいて前記導電性周囲枠部を構成している。また、導電性の側枠部６ａは、この側枠部６ａを少なくとも１ヶ所で分断している切り込み（換言すれば、スリット）７を適当な箇所（図示の実施例においては、側枠部６ａの左側部分のほぼ中央部分）に備えている。そして、この切り込み７には、ポリエチレン樹脂などの合成樹脂、その他の絶縁材料から成るスペーサ８が装入され、このスペーサ８は、接着剤による接着などによって、側枠部６に固定されている。したがって、側枠部６ａは、スペーサ８に隣接する上側端６ｂおよび下側端６ｃでは、互いに分離されている。なお、この両側端６ｂ、６ｃの間隔（すなわち、分断間隔）Ｓ１（換言すれば、切り込み７の厚み）は、例えば１ｍｍであってよい。また、上記裏板部は、必ずしも導電性である必要はないが、導電性の場合でも、側枠部６ａとは電気的に絶縁された状態でこの側枠部６ａに結合されることができる。【００２０】
図１に示す導電性枠体６は、画像表示手段としての液晶画像表示パネル本体２を収容する枠体を兼用している。したがって、枠体６内には、液晶画像表示パネル本体２、バックライト（図示せず）および回路基板（図示せず）が前方から後方にかけて順次収容されていてよい。また、液晶画像表示パネル本体２は、前側の偏光フィルタ、透明電極付きの前側のガラス基板、液晶層、透明電極付きの後側のガラス基板および後側の偏光フィルタ（何れも図示せず）を枠体６の前部に前方から後方にかけて順次配することによって、構成されたものであってよい。したがって、この場合、上述のように、アンテナ５が液晶表示画面４上（換言すれば、液晶画像表示パネル本体２の前面上）に設けられるときには、このアンテナ５は、上記前側偏光フィルタの前面上に設けられることができる。【００２１】
図１に示すループアンテナ５は、透明な合成樹脂製フィルムを液晶表示画面４上に貼り付けることによって、この液晶表示画面４上に取付けられている。具体的には、ポリエステル樹脂などの合成樹脂、その他の絶縁材料から成るフィルム上に線径０．０５ｍｍの銅線などの導電性細線（換言すれば、細いワイヤ導線）をほぼ正方形状に貼り付けることによって、ループアンテナ付きフィルムを形成した。そして、液晶画像表示装置３の金属製枠体６付きの液晶画像表示パネル本体２の液晶表示画面（具体的には、液晶画像表示パネル本体２の前面が枠体６から露出している露出部分）４上に部分的またはほぼ全面的に、このループアンテナ５付きフィルムをそのループアンテナ５側が内側になるように透明接着剤などで貼り付けた。この場合、上記露出部分４は、例えば、横方向の長さＬ１が２３２ｍｍで、縦方向の長さＬ２が３０７ｍｍであった。また、ほぼ正方形状のループアンテナ５の一辺の長さは、例えば、１２０ｍｍであった。そして、上記露出部分４の左側端１１とほぼ平行に延在している左側アンテナエレメント５ｂがこの左側端１１（換言すれば、枠体６）から離れている距離Ｄ１は、例えば、１ｍｍであった。さらに、上記露出部分の下側端１２とほぼ平行に延在している下側アンテナエレメント５ｃがこの下側端１２（換言すれば、枠体６）から離れている距離Ｄ２も、例えば、１ｍｍであった。【００２２】
したがって、図１に示すループアンテナ５の上側アンテナエレメント５ａおよび下側アンテナエレメント５ｃのそれぞれの長さＬ３は、例えば、１２０ｍｍであった。そして、ループアンテナ５の左側アンテナエレメント５ｂおよび右側アンテナエレメント５ｄのそれぞれの長さＬ４も、例えば、１２０ｍｍであった。ただし、例えば左側アンテナエレメント５ｂには、切れ目１４が設けられていた。そして、ループアンテナ５は、この切れ目１４の両端において、インピーダンス整合器１３の一対の接続端子にそれぞれ電気的に接続された。【００２３】
（２）電子タグの構成
図１に示すアンテナ付き画像表示装置１と交信することができる電子タグ２１の一例が、図２に示されている。この電子タグ２１は、図２に示すように、この電子タグ２１の中心とその中心がほぼ一致している１回巻きまたは複数回巻きのほぼループ形状の小型アンテナ（すなわち、ループアンテナ）２２と、情報が記録されるメモリが組み込まれかつ小型アンテナ２２の中央開口２３に配されているＩＣチップ２４とを含む通信回路２０を備えている。そして、上下一対の合成樹脂製フィルム、上下一対の紙製シートなどから成る適当な被覆材料２５によりこの通信回路２０を挟み込むことによって、電子タグ２１が構成されている。なお、電子タグ２１は、例えば、その横方向の長さＬ５が８５ｍｍでその縦方向の長さＬ６が５３ｍｍであった。【００２４】
（３）電子タグの最大応答可能距離の測定実験
図３は、図１のアンテナ付き画像表示装置１に対する図２の電子タグ２１の最大応答可能距離を示すグラフである。この最大応答可能距離の測定実験における使用周波数は、１３．５６ＭＨｚであった。そして、この測定実験においては、アンテナ付き画像表示装置１のループアンテナ５の一辺５ａ〜５ｄのそれぞれの長さＬ３、Ｌ４を５０〜１８０ｍｍの範囲で変化させた。なお、図３において、横軸は、ほぼ正方形状のループアンテナ５の一辺５ａ〜５ｄのそれぞれの長さ（ｍｍ）Ｌ３、Ｌ４を示し、縦軸は、電子タグ２１の最大応答可能距離（ｍｍ）を示している。【００２５】
この図３から、アンテナ付き画像表示装置１のループアンテナ５の一辺５ａ〜５ｄのそれぞれの長さＬ３、Ｌ４が１００〜１４０ｍｍの範囲であるときに、良好な結果が得られていることが分かる。そして、上記一辺の５ａ〜５ｄのそれぞれの長さＬ３、Ｌ４が１００ｍｍよりも短くなると、インピーダンス変換の比率が大きくなるので、変換効率が低下する。また、上記一辺５ａ〜５ｄのそれぞれの長さＬ３、Ｌ４が１４０ｍｍよりも長くなると、ループアンテナ５の中央部分付近には、磁界の大きさが十分ではない領域ができる。なお、アンテナ付き画像表示装置１のループアンテナ５の好ましい大きさ（すなわち、Ｌ３×Ｌ４）は、電子タグ２１の大きさ（換言すれば、小型アンテナ２２の大きさ）にも多少依存するが、ループ内の面積（すなわち、（Ｌ３−０．１ｍｍ）×（Ｌ４−０．１ｍｍ））が、図２に示すような通常使用される電子タグ２１の面積（すなわち、Ｌ５×Ｌ６）よりも、２〜６倍程度大きいのが好ましい。【００２６】
２、第２の実施例
つぎに、本発明の第２の実施例を、「（１）アンテナ付き画像表示装置の構成」および「（２）逆Ｌ形アンテナの感度（指向性）の測定実験」に項分けして、図４および図５を参照しつつ説明する。なお、本発明の第２の実施例におけるアンテナ付き画像表示装置１は、図４に示すように、通信用アンテナがループアンテナ５ではなくてモノポールアンテナ（具体的には、逆Ｌ形アンテナ）３１であることを除いて、図１に示す第１の実施例の場合と実質的に同一であってよい。したがって、図４および図５において、図１と共通の部分には、同一の符号を付して、その説明を必要に応じて省略する。【００２７】
（１）アンテナ付き画像表示装置の構成
逆Ｌ形アンテナ３１は、図４に示すように、液晶表示画面４上をほぼ縦方向に延在している第１のアンテナエレメント３１ａと、液晶表示画面４上をほぼ横方向に延在している第２のアンテナエレメント３１ｂとを有している。具体的には、第１のアンテナエレメント３１ａは、液晶表示画面（具体的には、液晶画像表示パネル本体２の前面が枠体６から露出している露出部分）４の左側端１１とほぼ平行に延在し、その長さＬ７は、例えば１５０ｍｍである。また、第２のアンテナエレメント３１ｂは、上記露出部分の上側端３２とほぼ平行に延在し、その長さＬ８は、例えば６０ｍｍである。そして、第１のアンテナエレメント３１ａが左側端１１（換言すれば、枠体６）から離れている距離Ｄ３と、第２のアンテナエレメント３１ｂが上側端３２（換言すれば、枠体６）から離れている距離Ｄ４とは、それぞれ、例えば１ｍｍである。【００２８】
また、第１のアンテナエレメント３１ａと第２のアンテナエレメント３１ｂとは、図４に示すように、互いに電気的に接続されていて、ほぼ逆Ｌ形に構成されている。したがって、既述の第１の実施例の場合と同様に、第１のアンテナエレメント３１ａと第２のアンテナエレメント３１ｂとを一本の導電性細線（具体的には、線径が例えば０．０５ｍｍの銅線）から構成することができる。また、逆Ｌ形アンテナ３１は、給電部３３を備えている。そして、図示の実施例においては、この給電部３３は、例えば、第１のアンテナエレメント３１ａの下端部と電気的に接続されるように、この下端部付近に設けられている。また、モノポールアンテナとしての逆Ｌ形アンテナ３１は、適当なアース線（図示せず）を介して導電性枠体６に接地されている。【００２９】
（２）逆Ｌ形アンテナの感度（指向性）の測定実験
図５は、アンテナ付き画像表示装置１の逆Ｌ形アンテナ３１のＵＨＦ帯（４７６ＭＨｚ）における感度をダイポール比／水平偏波で示す指向性グラフである。なお、この図５には、アンテナ付き画像表示装置１が鎖線で示され、液晶表示パネル本体２の液晶表示画面４の符号も付加されている。【００３０】
この図５から、逆Ｌ形アンテナ３１が液晶表示画面４の前方（図５においては、上方）の広い範囲にわたって指向性を有しているのが分かる。【００３１】
３、第３の実施例
つぎに、本発明の第３の実施例を図６および図７を参照して説明する。なお、本発明の第３の実施例におけるアンテナ付き画像表示装置１は、液晶画像表示パネル本体２が枠体６とは別に（換言すれば、枠体６に加えて）導電性のパネル枠体（すなわち、液晶画像表示パネル本体２に専用の枠体）４１を備えているために、この液晶画像表示パネル４２が、液晶画像表示パネル本体２とパネル枠体４１とから構成されていて、後述のように枠体６に収容されていることを除いて、図１に示す第１の実施例の場合と実質的に同一であってよい。したがって、図６および図７の説明において、図１と共通の部分については、同一の符号を用いて、その説明を必要に応じて省略する。【００３２】
図６および図７において、パネル枠体４１は、前後両端がそれぞれ開放されているほぼ直方体形状の中空枠部材から構成されている。具体的には、パネル枠体４１は、ステンレススチール製などの金属製などの導電性であって、断面がほぼＵ字状に構成されている。そして、パネル枠体４１には、凹溝４３がこのパネル枠体４１の内周面に沿ってほぼ直方体形状に形成されている。【００３３】
導電性パネル枠体４１は、図７に示すように、このパネル枠体４１を少なくとも１ヶ所で分断している切り込み（換言すれば、分断箇所またはスリット）４４を適当な箇所（図示の実施例においては、左側枠部のほぼ中央部分）に備えている。そして、パネル枠体４１は、この切り込み４４に隣接する上側端４１ａおよび下側端４１ｂでは、互いに分離されている。なお、この一対の両側端４１ａ、４１ｂの間隔（すなわち、分断間隔）Ｓ２（換言すれば、切り込み４４の厚み）は、例えば１ｍｍであってよい。【００３４】
導電性パネル枠体４１の両側端４１ａ、４１ｂは、図６に示すように、ポリエチレン樹脂などの合成樹脂、その他の絶縁材料から成る軸継手（換言すれば、保持具）４５により連結されることによって、互いに位置保持されている。この保持具４５は、ほぼＵ字状に構成されていて、上下一対のスリット４６、４７を備えている。また、パネル枠体４１の両側端４１ａ、４１ｂには、これら上下一対のスリット４６、４７にそれぞれ対応する上下一対の舌片部４８、４９が設けられている。なお、これらの舌片部４８、４９は、パネル枠体４１の両側端４１ａ、４１ｂに一体成形されている突出部を外方に向かってほぼ直角などに折り曲げることによって、形成されていてよい。そして、保持具４５をパネル枠体４１に取り付けるときには、ほぼＵ字状の保持具４５の内周面などに適当な接着剤を塗布してから、この保持具４５をパネル枠体４１の両側端４１ａ、４１ｂ付近に接着することができる。この場合、ほぼ平板形状の上下一対の舌片部４８、４９は、図６に示すように、上下一対のスリット４６、４７にそれぞれ挿入されてから、ほぼ直角などにさらに折り曲げられることによって、断面がほぼＬ字形状に構成されることができる。したがって、保持具４５は、パネル枠体４１に強固に結合されることができる。【００３５】
液晶画像表示パネル本体２は、保持具４５がパネル枠体４１に取り付けられる前または後に、パネル枠体４１に組み込まれることができる。具体的には、パネル枠体４１には、前側の偏光フィルタ、透明電極付きの前側のガラス基板、液晶層、透明電極付きの後側のガラス基板および後側の偏光フィルタ（何れも図示せず）が前方から後方にかけて順次配される。この場合、これらのフィルタ、ガラス基板、液晶層の積層体のそれぞれが、全体として凹溝４３に嵌合されることによって、パネル枠体４１に固定されればよい。【００３６】
図６および図７に示す上述の第３の実施例におけるアンテナ付き画像表示装置１においては、液晶表示パネル４２は、図１に示す液晶表示パネル本体２の場合と同様に、図１に示す枠体６に収容される。なお、この枠体６は、必ずしも導電性である必要はなく、木製、合成樹脂製などの絶縁材料から成っていてもよい。この場合、切り込み７およびスペーサ８は、枠体６に特に設けられる必要はない。また、枠体６が図１に示す場合と同様に導電性の場合には、この導電性枠体６が、画像表示手段としての液晶表示パネル本体２を、直接的にではないが間接的に収容している。したがって、この場合には、パネル枠体４１は、必ずしも導電性である必要はなく、木製、合成樹脂製などの絶縁材料から成っていてもよい。また、この場合、切り込み４４（ひいては、保持具４５）などは、特に設けられる必要がない。なお、上記アンテナ付き画像表示装置１においては、導電性パネル枠体４１の切り込み４４にも、図１の切り込み７の場合と同様に、絶縁材料から成るスペーサ（スペーサ８に相当する。）を装入することができる。【００３７】
４、第４の実施例
つぎに、本発明の第４の実施例を図８を参照して説明する。なお、本発明の第４の実施例におけるアンテナ付き画像表示装置１は、導電性枠体６の両側端６ｂ、６ｃを連結するために、図６および図７に示す保持具４５と実質的に同一の構成を有する保持具が用いられていることを除いて、図４に示す第２の実施例の場合と実質的に同一であってよい。したがって、図８において、図４、図６および図７と共通の部分については、同一の符号を用いて、その説明を必要に応じて省略する。【００３８】
図８において、導電性枠体６の両側端（図４における両側端６ｂ、６ｃに相当する。）は、図６および図７に示す場合と同様に、保持具４５により連結されている。したがって、この保持具４５は、図７に示す場合と同様に、上下一対のスリット４６、４７を備えている。また、導電性枠体６の上記両側端には、図７に示す場合と同様に、これら上下一対のスリット４６、４７にそれぞれ対応する上下一対の舌片部４８、４９が設けられている。そして、上下一対の舌片部４８、４９は、図６および図７に示す場合と同様に、上下一対のスリット４６、４７にそれぞれ挿入されてから、折り曲げられる。【００３９】
図８に示すアンテナ付き画像表示装置１において、導電性枠体６の上記両側端の間に形成されている切り込みに、図４に示す切り込み７の場合と同様に、絶縁材料から成るスペーサ（スペーサ８に相当する。）を挿入することができる。また、アンテナ３１の性能は、図４に示す第２の実施例の場合と、図８に示す第４の実施例の場合とでは、実質的に互いに同一であった。【００４０】
５、第５の実施例
つぎに、本発明の第５の実施例を図９〜図１３を参照して説明する。なお、本発明の第５の実施例におけるアンテナ付き画像表示装置１は、
（ａ）液晶画像表示パネル４２が液晶画像表示パネル本体２の前面にカバーガラス（換言すれば、ガラス製の透光性で絶縁性のカバー部材）５２をさらに備えていること、
（ｂ）通信用アンテナ５１が、液晶画像表示パネル本体２の前側偏光フィルタの前面上に設けられているのではなくて、カバーガラス５２に組み込まれていること、
（ｃ）通信用アンテナが、モノポールアンテナ３１ではなくて、ダイポールアンテナ５１であること、
を除いて、図４に示す第２の実施例の場合と実質的に同一であってよい。したがって、図９〜図１３の説明において、図４と共通の部分については、同一の符号を用いて、その説明を必要に応じて省略する。【００４１】
図９および図１０において、透光性カバー部材としてのカバーガラス５２は、一対のガラス板（具体的には、外側または前側のガラス板５３および内側または後側のガラス板５４）を中間膜５５を介して積層した合わせガラス構造のものであってよい。この場合、一対のガラス板５３、５４は、ソーダライムガラス、パイレックス（登録商標）ガラスなどのうちのいずれか１種からそれぞれ成っていてよい。また、上記中間膜５５は、ＰＶＢ（ポリビニルブチラール）、ポリウレタン樹脂などのうちのいずれか１種から成っていてよく、特に、ＰＶＢから成っているのが好ましい。なお、上記透光性カバー部材５２は、透光性および絶縁性を兼ね備えていればよいから、外側透光性板５３および内側透光性板５４は、必ずしもガラス板である必要はなく、合成樹脂板であってもよい。したがって、カバー部材５２は、透明なガラス板などの透光性で絶縁性の複数枚の板を合わせた構造であればよい。さらに、カバーガラス５２は、導電性枠体６の奥行きを多少大きくして、この導電性枠体６内に組み込んでもよく、また、適当な取り付け具や適当な接着剤でもって、この導電性枠体６の前面に取り付けてもよい。したがって、カバーガラス（換言すれば、透光性で絶縁性のカバー部材）５２は、液晶画像表示パネル本体２（換言すれば、液晶画像表示装置本体９）の前側の表面板として機能するから、液晶画像表示パネル本体２の前面を保護することなどに役立っている。【００４２】
合わせガラス５２を構成している一対のガラス板５３、５４のうちのいずれか一方のガラス板（図示の実施例においては、内側ガラス板５４）の合わせ面（換言すれば、中間膜５５側の面）には、図９〜図１１に示すように、通信用アンテナとしてのダイポールアンテナ５１が予め設けられる。このダイポールアンテナ５１は、液晶表示画面４として実質的に機能するカバーガラス５２内を例えば左側端１１にほぼ沿ってほぼ縦方向に延在している第１のアンテナエレメント５１ａと、カバーガラス５２内を例えば下側端１２にほぼ沿ってほぼ横方向に延在している第２のアンテナエレメント５１ｂとを備えている。なお、これら第１および第２のアンテナエレメント５１ａ、５１ｂの長さは、既述の第２の実施例における第２および第１のアンテナエレメント３１ｂ、３１ａに準じて適当な値に選定されることができる。また、これら第１および第２のアンテナエレメント５１ａ、５１ｂは、給電部３３ａ、３３ｂをそれぞれ備えている。そして、図示の実施例においては、給電部３３ａは、例えば、第１のアンテナエレメント５１ａの下端部と電気的に接続されるように、この下端部付近に設けられている。また、給電部３３ｂは、例えば、第２のアンテナエレメント５１ｂの左端部と電気的に接続されるように、この左端部付近に設けられている。したがって、一対の給電部３３ａ、３３ｂは、ほぼ縦方向において互いに隣接するように、内側ガラス板５４の合わせ面上に設けられている。そして、第１のアンテナエレメント５１ａが左側端１１（換言すれば、導電性枠体６）から離れている距離Ｄ３と、第２のアンテナエレメント３１ｂが下側端１２（換言すれば、導電性枠体６）から離れている距離Ｄ４とは、それぞれ、例えば１ｍｍである。【００４３】
合わせガラス５２を構成している一対のガラス板５３、５４のうちの一方のガラス板（図示の実施例においては、内側ガラス板５４）の合わせ面とは反対側の面（以下、「上記非合わせ面」という。）には、図１１に示すように、コネクタ６２が接着剤による接着などによって取付けられている。このコネクタ６２は、図１２および図１３に示すように、コンデンサの一対の電極のうちの一方の電極をそれぞれ構成する一対の導電性板状体６３、６４がそれぞれ取付けられている絶縁性ケース６１を備えている。なお、一対の導電性板状体６３、６４は、絶縁性ケース６１または内側ガラス板５４に銅、ニッケルなどの金属材料を板状にして貼り付けるか、あるいは、印刷および焼成することなどによって、それぞれ構成することができる。そして、これらの一対の導電性板状体６３、６４は、内側ガラス板５４の上記非合わせ面にそれぞれ密着するように構成されているのが好ましい。【００４４】
図１１〜図１３に示す一対の導電性板状体６３、６４は、リード線としての同軸ケーブル６５がそれぞれ接続されているので、接続端子部としても機能している。図示の実施例においては、一方の導電性板状体６３に同軸ケーブル６５の内部導体（換言すれば、中心導体）６６が接続されるとともに、他方の導電性板状体６４に外部導体６７が接続されている。そして、図１２および図１３において、符号６８は内部絶縁被覆層であり、符号６９は外部絶縁被覆層である。したがって、導電性枠体６には、同軸ケーブル６５を挿通させるための貫通孔（図示せず）が、必要に応じて設けられている。なお、絶縁性ケース６１は、任意の合成樹脂から成る中空のケースに一対の導電性板状体６３、６４および同軸ケーブル６５を取付けたものであってよく、また、一対の導電性板状体６３、６４および同軸ケーブル６５をインサートした状態で、任意の合成樹脂から中実の状態にモールド成形されたものであってもよく、さらに、中空のケース部分と中実状態のモールド成形部分とが混在しているものであってもよい。【００４５】
図９〜図１１に示す一対の給電部３３ａ、３３ｂは、内側ガラス板５４を介して一対の導電性板状体６３、６４とそれぞれほぼ対向するように、配置されている。したがって、これら一対の導電性板状体６３、６４は、縦方向において互いに隣接している。そして、これら一対の給電部３３ａ、３３ｂは、コンデンサの一対の電極のうちの他方の電極をそれぞれ構成している。したがって、一対の給電部３３ａ、３３ｂも、内側ガラス板５４の合わせ面などに銅、ニッケルなどの金属材料を板状にして貼り付けるか、あるいは、印刷および焼成することなどによってそれぞれ構成した一対の導電性板状体であってよい。そして、導電性板状体３３ａ、３３ｂ、６３、６４は、例えば５ｍｍ角または５ｍｍ角よりも小さいほぼ正方形、その他の任意の形状であってよい。具体的には、導電性板状体３３ａ、内側ガラス板５４および導電性板状体６３によって、第１のコンデンサ７１が構成されている。また、導電性板状体３３ｂ、ガラス板５４および導電性板状体６４によって第２のコンデンサ７２が構成されている。したがって、導電性板状体６３と導電性板状体３３ａとは互いに容量結合し、また、導電性板状体６４と導電性板状体３３ｂとは互いに容量結合している。このために、直流はこれらの容量結合において導通することはないが、交流（特に、高周波）はこれらの容量結合において良好に導通する。よって、導電性板状体６３、６４から導電性板状体３３ａ、３３ｂ（ひいては、第１および第２のアンテナエレメント５１ａ、５１ｂ）に容量給電することができる。【００４６】
内側ガラス板５４は、図１１に示すように、第１および第２のコンデンサ７１、７２の一対の電極３３ａ、６３および３３ｂ、６４の間の絶縁物（すなわち、誘電体）として機能する。したがって、第１および第２のコンデンサ７１、７２の単位面積当りの静電容量を大きくして給電を効率良く行うためには、内側ガラス板５４の厚みは、外側ガラス板５３の厚みよりも十分小さい方がよく、２．２ｍｍ以下であるのが好ましく、１．５ｍｍ以下であるのがさらに好ましい。また、内側ガラス板５４の厚みは、実用性の観点から見て一般的に、０．３ｍｍ以上であるのが好ましく、０．５ｍｍ以上であるのがさらに好ましい。なお、第１および第２のコンデンサ７１、７２のそれぞれの静電容量は、実用性の観点から見て一般的に、２〜２０ｐＦの範囲であるのが好ましい。【００４７】
上述のように構成された本発明の第５の実施例におけるアンテナ付き画像表示装置１によれば、カバーガラス５２が設けられるとともに、このカバーガラス５２にダイポールアンテナ５１が組み込まれている。そして、ダイポールアンテナ５１に同軸ケーブル６５を接続するのに用いられるコネクタ６２をカバーガラス５２の後面側に配置することができる。また、細いワイヤ導線（すなわち、導電性細線）の直径を０．１ｍｍまたはこれよりも小さくすることが可能である。したがって、通信用アンテナ５１を設けても、アンテナ付き画像表示装置１（特に、液晶画像表示パネル本体２の液晶表示画面４）の透明感や見栄えを特に損なわないようにすることができる。そして、第１および第２のアンテナエレメント５１ａ、５１ｂを構成する２本の細いワイヤ導線を一対のガラス板５３、５４の間に封入することによって、通信用アンテナ５１を構成することができる。【００４８】
上述のように、外側および内側のガラス板５３、５４の間に細いワイヤ導線をアンテナエレメント５１ａ、５１ｂとして封入した場合、これらの細いワイヤ導線５１ａ、５１ｂを給電回路側に電気的に接続する必要がある。このような場合、一般的には、合わせガラス５２の一方のガラス板（例えば、内側ガラス板５４）の端部付近を切り欠いて半田部（換言すれば、給電部３３ａ、３３ｂ）を接続用リードとして少なくとも部分的に露出させるか、あるは、合わせガラス５２の一対のガラス板５３、５４の間からほぼ板状の給電部３３ａ、３３ｂのそれぞれの一部分を接続用リードとして舌片状に突出させる必要がある。そして、上記露出部分または上記舌片状部分に同軸ケーブルなどのリード線６５を半田付けなどによって接続する必要がある。したがって、このような場合には、カバーガラス５２付近の見栄えが悪くなり、また、給電回路側への通信用アンテナ５１の接続のための作業性が悪くなる。しかし、本発明の第５の実施例においては、図１１に示すように、上記給電回路からのワイヤ導線５１ａ、５１ｂへの給電方法を容量給電にしている。したがって、ワイヤ導線５１ａ、５１ｂを同軸ケーブル６５に半田付けなどによって直接に接続しなくても給電することができるから、アンテナ付き画像表示装置１の見栄えをさらに向上させることができる。このとき、カバーガラス５２を構成している合わせガラスの給電側のガラス板（図示の実施例においては、内側ガラス板５４）の厚みは、上述のように薄い方が好ましい。【００４９】
一方、図１１に示す外側ガラス板５３は、内側ガラス板５４に対して任意に厚くすることができる。したがって、カバーガラス５２付近の見栄えを特に損なわないで、通信用アンテナ５１に良好に給電することができる。なお、外側ガラス板５３の厚みは、実用性の観点から見て一般的に、内側ガラス板５３の厚みの２〜６倍の範囲であるのが好ましく、２．５〜４倍の範囲であるのがさらに好ましい。【００５０】
上述のように、本発明の第５の実施例によれば、通信用アンテナ５１を設けても、ガラス製カバー部材（換言すれば、透光性で絶縁性のカバー部材）５２の端子部分３３ａ、３３ｂ、６３、６４の意匠性や作業性を損なう影響を最小限に留めることができる。
６、第６の実施例
つぎに、本発明の第６の実施例を図１４〜図１６を参照して説明する。なお、本発明の第６の実施例におけるアンテナ付き画像表示装置１は、
（ａ）ダイポールアンテナ５１を構成している第１および第２のアンテナエレメント５１ａ、５１ｂと、これら第１および第２のアンテナエレメント５１ａ、５１ｂにそれぞれ備えられている給電部（換言すれば、導電性板状体）３３ａ、３３ｂとが、カバーガラス５２における配置位置を変更されていること、
（ｂ）コネクタ６２の形状および構造が変更されていること、
を除いて、図９〜図１３に示す第５の実施例の場合と実施例に同一であってよい。したがって、図１４〜図１６の説明において、図９〜図１３と共通の部分については、同一の符号を用いて、その説明を必要に応じて省略する。【００５１】
図１４および図１５において、ダイポールアンテナ５１の第１のアンテナエレメント５１ａは、液晶表示画面４として実質的に機能するカバーガラス５２内を、導電性枠体６の側枠部６ａの例えば右側端８１（図９参照）にほぼ沿って、ほぼ縦方向に延在している。そして、第２のアンテナエレメント５１ｂは、カバーガラス５２内を、側板部６２の例えば下側端１２（図９参照）にほぼ沿って、ほぼ横方向に延在している。また、第１のアンテナエレメント５１ａの下端部１２付近に設けられている給電部（換言すれば、導電性板状体）３３ａと、第２のアンテナエレメント５１ｂの右端部付近に設けられている給電部（換言すれば、導電性板状体）３３ｂとは、ほぼ横方向において互いに隣接するように、内側ガラス板５４の合わせ面上に設けられている。そして、第１のアンテナエレメント３１ａが上記右側端８１（換言すれば、導電性枠体６）から離れている距離Ｄ３と、第２のアンテナエレメント３１ｂが上記下側端１２（換言すれば、導電性枠体６）から離れている距離Ｄ４とは、それぞれ、例えば１ｍｍである。【００５２】
絶縁性ケース６１は、一対の導電性板状体６３、６４が横方向において互いに隣接するように取付けられている厚みの小さな第１のケース部分６１ａと、同軸ケーブル６５が取付けられている厚みの大きい第２のケース部分６１ｂとが一体的に成形または一体的に結合されることによって、構成されている。なお、この第６の実施例においては、導電性板状体６３が同軸ケーブル６５の外部導体６７に接続され、導電性板状体６４が同軸ケーブル６５の内部導体６６に接続されている。また、第１のケース部分６１ａは、中空構造であってもよいし、一対の導電性板状体６３、６４をインサートした状態でモールド成形されたものであってもよい。さらに、第２のケース部分６１ｂは、中空構造を有する第１のケース部分６１ａと一体成形された中空構造であってもよいが、中空にモールド成形された第１のケース部分６１ａと一体的に成形または一体的に結合された中空構造であるのが好ましい。【００５３】
第１のケース部分６１ａは、図１５および図１６に示すように、内側ガラス板５４と液晶画像表示パネル本体２の前側偏光フィルタとの間に介装される。これに対し、第２のケース部分６１ｂは、合わせガラス５２の下側の端面８３にその上端面（すなわち、後述の段差部）８２がほぼ接触するように、この下側の端面８３から下方に配置される。したがって、第１のケース部分６１ａは、その厚み（すなわち、前後方向の長さ）が小さい方がよくて、その厚みが、０．５〜３ｍｍの範囲であるのが好ましく、１〜２ｍｍの範囲であるのがさらに好ましい。また、第２のケース部分６１ｂは、その厚み（すなわち、前後方向の長さ）を小さくする必要は特にないが、同軸ケーブル６５の直径が通常は３〜４ｍｍの範囲であることを考慮して、その厚みが、４〜８ｍｍの範囲であるのが好ましく、５〜６ｍｍの範囲であるのがさらに好ましい。したがって、図１６に示す絶縁性ケース６１は、第１のケース部分６１ａと第２のケース部分６１ｂとの間における厚みの変化を吸収するための段差部８２を有しているのが好ましく、図示の実施例においては、絶縁性ケース６１の前面側にこの段差部８２が形成されている。また、第１のケース部分６１ａの厚みに対向する第２のケース部分６１ｂの厚みの比は、２．５〜５の範囲であるのが好ましく、３〜４．５の範囲であるのがさらに好ましい。【００５４】
以上において、本発明の第１〜第６の実施例についてそれぞれ詳細に説明した。しかし、本発明は、これら第１〜第６の実施例に限定されるものではなく、請求の範囲に記載された発明の趣旨に基づいて、各種の変更および修正が可能である。【００５５】
例えば、上述の第１〜第６の実施例においては、アンテナ付き画像表示装置１のアンテナ５、３１、５１を導電性細線（換言すれば、細いワイヤ導線）から構成した。しかし、アンテナ５、３１、５１は、合成樹脂製などの絶縁性シートに透明導電性塗料などの導電性塗料を印刷および焼成することによって構成した例えば約２ｍｍの幅で例えば約０．０５ｍｍの厚みの導電性パターンから構成されていてもよい。【００５６】
また、上述の第１〜第６の実施例においては、図３および図５に示す測定実験を行うために、距離Ｄ１、Ｄ２、Ｄ３およびＤ４をいずれも１ｍｍに選定している。しかし、これらの距離は、必ずしも１ｍｍである必要はなくて１ｍｍよりも大きくてよく、例えば３ｍｍであってもよい。【００５７】
また、上述の第１、第２および第４〜第６の実施例においては、枠体６を側枠部６ａと裏板部とから箱蓋形状に構成した。しかし、枠体６は、側枠部６ａの前端に連なりかつ前記導電性周囲枠部を構成する前枠部を有していてもよい。このような前枠部は、側板部６ａの前端と一体的に成形されていてよく、また、この前端に沿ってほぼ閉ループ状（換言すれば、この前端の全周囲）に形成されていても、この前端の全周囲に部分的に形成されていてもよい。この場合、上記前枠部付きの側枠部６ａが上記前枠部を介して電気的に完全な閉ループ状につながらないように、上記前枠部にも切り込み７と同様の第２の切り込みを必要に応じて設けるのが好ましい。このような第２の切り込みは、切り込み７に連なるように設けられるのが好ましく、また、スペーサ８がこの第２の切り込みにも装入されるのが好ましい。なお、このような前枠部が設けられたときには、アンテナ付き画像表示装置１の液晶表示画面（具体的には、露出部分）４の大きさ（Ｌ１×Ｌ２）は、液晶画像表示パネル本体２の液晶表示画面の本来の大きさよりも、上記前枠部の大きさだけ小さくなる。【００５８】
また、上述の第２および第４の実施例においては、アンテナ付き画像表示装置１のアンテナ３１を逆Ｌ形のモノポールアンテナによって構成した。しかし、このアンテナは、逆Ｌ形以外のほぼＬ形などのモノポールアンテナであってもよく、また、上述の第５および第６の実施例におけるようにほぼＬ形、ほぼ逆Ｌ形などのダイポールアンテナ５１であってもよい。なお、アンテナ３１がダイポールアンテナによって構成される場合には、このダイポールアンテナの第１のアンテナエレメントおよび第２のアンテナエレメントを両者が全体としてほぼ一直線になるように液晶表示画面４の所定の側端（例えば、左側端１１）に沿って延在させてもよい。そして、上記第１のアンテナエレメントと上記第２のアンテナエレメントとの互いに隣接する端部にそれぞれ給電点を設ければよい。また、上記第１のアンテナエレメントおよび上記第２のアンテナエレメントが液晶表示画面４の上記所定の側端から離れている距離Ｄ３を１ｍｍ以上（好ましくは、２ｍｍ以上）で、好ましくは、１０ｍｍ以内にすればよい。【００５９】
さらに、上述の第５および第６の実施例においては、通信用アンテナ５１のための給電部３３ａ、３３ｂの数（すなわち、２つ）に応じて２つの容量給電用コンデンサ（すなわち、第１および第２のコンデンサ７１、７２）を設けた。しかし、図４に示す第２の実施例の場合などのように、１つの給電部３３しか必要としない場合などには、１つの容量給電用コンデンサのみを設けることができ、また、必要に応じて３つ以上の容量給電用などのコンデンサを設けることもできる。
【図１】
2007083500.tif 000003
【図２】
2007083500.tif 000004
【図３】
2007083500.tif 000005
【図４】
2007083500.tif 000006
【図５】
2007083500.tif 000007
【図６】
2007083500.tif 000008
【図７】
2007083500.tif 000009
【図８】
2007083500.tif 000010
【図９】
2007083500.tif 000011
【図１０】
2007083500.tif 000012
【図１１】
2007083500.tif 000013
【図１２】
2007083500.tif 000014
【図１３】
2007083500.tif 000015
【図１４】
2007083500.tif 000016
【図１５】
2007083500.tif 000017
【図１６】
2007083500.tif 000018
【国際調査報告】
2007083500.tif 000019
2007083500.tif 000020
2007083500.tif 000021
2007083500.tif 000022
2007083500.tif 000023
2007083500.tif 000024